(57)【要約】【目的】  陰極アークプラズマの起動・維持・停止などのシーケンス操作を繰り返す断続稼働を長期間行うことができるプラズマ発生装置を実現する。【構成】  本発明に係る薄膜生成用プラズマ生成装置は、アークプラズマの構成粒子を供給する陰極４とアークプラズマの起動及び維持用のトリガー兼陽極６が配置されている。前記陰極４の陰極面４ａは平坦又は微細な凹凸形状を有し、前記陰極面４ａと接触するトリガー兼陽極６の陽極面６ｃは平坦な表面を有している。プラズマ起動時に前記陽極面６ｃが陰極面４ａの全面に当接するように配置され、前記陰極面４ａの微細な凸部先端４ｂと前記陽極面６ｃの接触点をプラズマ放出点とし、プラズマの放出により凸部が消耗した場合、陽極面６ｃと接触可能な他の凸部先端を新たなプラズマ放出点とし、前記シーケンス操作を持続的に繰り返す断続稼働をする場合に、安定したプラズマを長期間生成できる。【選択図】  図２
2005267909.tif 000002
【特許請求の範囲】
【請求項１】
真空雰囲気下に設定されたプラズマ発生部で真空アーク放電を行ってプラズマを発生させるプラズマ生成装置において、前記プラズマ発生部には陰極と真空アークプラズマの起動及び維持用のトリガー兼陽極が配置され、前記陰極の陰極面は平坦又は微細な凹凸形状を有し、前記陰極面と接触するトリガー兼陽極の陽極面は平坦表面を有し、プラズマ起動時に前記陽極面は少なくとも前記陰極面の全面に当接するように配置され、前記陰極面における微細な凸部先端と前記陽極面との接触点をプラズマ放出点とすることを特徴とするプラズマ生成装置。
【請求項２】
前記トリガー兼陽極には駆動機構が付設され、この駆動機構により前記トリガー兼陽極がアークプラズマ起動位置とプラズマ衝突回避位置の間を反復的に移動可能に構成される請求項１に記載のプラズマ生成装置。
【請求項３】
前記トリガー兼陽極の基端部に駆動機構が連結され、この駆動機構を支点として前記トリガー兼陽極がアークプラズマ起動位置とプラズマ衝突回避位置の間を反復的に揺動可能に構成される請求項１に記載のプラズマ生成装置。
【請求項４】
前記トリガー兼陽極は幅狭の陽極基端部と幅広の陽極先端部を有するハンマー形状に構成され、この陽極先端部の先端面が前記陽極面となる請求項1〜３のいずれかに記載のプラズマ生成装置。
【請求項５】
前記トリガー兼陽極に永久磁石又は電磁石が配設される請求項１〜４のいずれかに記載のプラズマ生成装置。
【請求項６】
前記トリガー兼陽極の先端部がプラズマ生成物質から構成される請求項１〜５のいずれかに記載のプラズマ生成装置。
【請求項７】
前記陰極を形成する陰極材料をプラズマ発生部に順次供給する陰極材料装填装置が設置され、直列配置された複数本の陰極材料の内、最先端にある陰極材料が前記陰極となり、陰極が消耗すると後続する陰極材料を前進させて新たな陰極とする請求項１〜６のいずれかに記載のプラズマ生成装置。
【請求項８】
陰極材料を収容した格納室を設け、前記陰極材料装填装置に陰極材料を補給する請求項７に記載のプラズマ生成装置。
【発明の詳細な説明】
【技術分野】
【０００１】
本発明は、真空アーク放電を行ってプラズマを発生させるプラズマ生成装置に関し、更に詳細には、プラズマの起動・維持・停止というシーケンス的操作を長期的に繰り返す場合に、プラズマが放出される陰極面において、微細な凹凸形状を有する陰極面の凸部先端をプラズマ放出点とし、前記凸部先端がプラズマの放出により消耗すると、次のプラズマ起動時には、他の凸部先端が新たなプラズマ放出点となり、長期間断続的にプラズマを生成することができるプラズマ生成装置に関する。
【背景技術】
【０００２】
一般に、プラズマ中で固体材料の表面に薄膜を形成したり、イオンを注入したりすることにより、固体の表面特性が改善されることが知られている。金属イオンや非金属イオンを含むプラズマを利用して形成した膜は、固体表面の耐磨耗性・耐食性を強化し、保護膜、光学薄膜、透明導電性膜などとして有用なものである。特に、カーボンプラズマを利用して作成した炭素膜はダイヤモンド構造とグラファイト構造の混晶からなるダイヤモンドライクカーボン膜（ＤＬＣ膜という）として利用価値が高い。
【０００３】
金属イオンや非金属イオンを含むプラズマを発生する方法として、真空アークプラズマ法がある。真空アークプラズマは、陰極と陽極の間に生起するアーク放電で形成され、陰極表面上に存在する陰極点から陰極材料が蒸発し、この陰極蒸発物質により形成されるプラズマである。また、雰囲気ガスとして反応性ガス又は／及び不活性ガス（希ガス等）を導入した場合には、反応性ガス又は／及び不活性ガスも同時にイオン化される。このようなプラズマを用いて、固体表面への薄膜形成やイオンの注入を行って表面処理加工を行うことができる。
【０００４】
プラズマ生成装置におけるプラズマ発生部では、接触状態にある陰極とトリガー電極に電流を流した状態で、陰極とトリガー電極とを引き離すことによって、プラズマの発生が誘起される。プラズマ発生部において、真空アーク放電により陰極材料イオン、電子、陰極材料中性粒子（原子及び分子）といった真空アークプラズマ構成粒子が放出されると同時に、サブミクロン以下から数百ミクロン（０．０１〜１０００μｍ）の大きさの陰極材料微粒子（以下「ドロップレット」と呼ぶ）も放出される。
【０００５】
本発明者等の一部は、上述の真空アーク放電を利用したプラズマ加工法を提案している。この方法は、特開２００２−８８９３号公報（特許文献１）として公開され、図７に示されている。図７は、従来のプラズマ生成装置におけるプラズマ発生部１０２の構成図である。真空チャンバー内に配設されたプラズマ発生部１０２において、陰極１０４と陽極１４０の間にプラズマ１０８を発生させる前段階として、トリガー電極１０６により電気スパークを生起し、プラズマ１０８の発生を誘起する。図示しないが前記トリガー電極１０６には、上下に駆動することができる駆動装置が付設され、この駆動装置により陰極面１０４ａにトリガー電極１０６の先端を接触させ、アーク電源１２２により接触点に電圧を印加する。この接触点には電流が集中し、トリガー電極１０６を陰極面１０４ａから引き離すと電気スパークが生起され、プラズマ１０８の発生が誘起される。
【０００６】
しかし、プラズマ１０８が発生すると陰極面１０４ａには、放出孔１０４ｂが形成される。即ち、この放出孔１０４ｂ内の陰極材料を形成するプラズマ生成物質は、プラズマ構成粒子やドロップレット１１８として放出される。前記放出孔１０４ｂにトリガー電極１０６が近接する場合、前記トリガー電極１０６と陰極１０４の間には望ましい接触状態が形成されないから、プラズマ１０８の発生を誘起することはできない。
【０００７】
上述のような陰極材料表面の放出孔形成を解決する手段として、特開２００１−１９２８１５号公報（特許文献２）に開示される電極構成では、陰極材料表面を平面状に再生する研磨装置と、陰極材料を回転させる駆動装置が具備されている。図示していないが図７のプラズマ生成装置においても長時間断続稼働する場合は、プラズマ発生部の底部に垂直な中心線を陰極１０４の回転軸とし、前記陰極１０４を回転させる陰極回転機構装置と、グラインダーにより陰極面を研磨する研磨装置を付設する必要性がある。即ち、前記放出孔１０４ｂの形成後、次回プラズマを発生する場合、前記トリガー電極１０６と陰極面１０４ａの望ましい接触状態を確保するために、前記陰極回転機構装置により陰極１０４を回転させて、この陰極１０４とトリガー電極１０６の接触位置を順次移動する。
【０００８】
更に、真空アーク放電を繰り返すことにより陰極面１０４ａに多数の放出孔１０４ｂが形成されるから、プラズマ１０８の断続的生成を一時中断して前記研磨装置により陰極面１０４aを研磨する。この研磨工程により平坦な陰極面１０４ａが新たに形成され、常時、トリガー電極１０６と平坦な陰極面１０４ａとが良好な接触状態を有し、再びプラズマ１０８の発生を誘起することができる。しかし、陰極面１０４ａを研磨する間、プラズマ１０８の断続的生成を一時中断するから、プラズマ生成装置の稼働効率を低減させていた。また、研磨工程において発生する粉塵は、真空チャンバー内を汚染して生成膜の膜質を悪化させる上、その粉塵の回収、真空チャンバーのクリーニング作業が必要であった。
【０００９】
図７における従来のトリガー電極１０６は、陰極面１０４ａに近接して配設されている。この場合、プラズマ１０８に晒されて加熱されるためトリガー電極１０６の劣化が早くなる。また、トリガー電極１０６に堆積した膜が剥離してプラズマ１０８へのコンタミネーションとして混入し、前記プラズマ１０８の進行を阻害するといった問題点を有していた。これらの問題点を解決するために、米国特許番号６３１９３６９Ｂ１号公報（特許文献３）に開示されるプラズマ生成装置には、トリガー電極をプラズマ衝突回避位置まで移動させる駆動機構が付設されており、図８に特許文献３のプラズマ発生部を示す。
【００１０】
図８は従来のプラズマ生成装置におけるプラズマ発生部の構成図である。冷却水の流入口１６１と排出口１６２を有し陰極冷却部材１６４がフランジ１６５、１６８に載置され、陰極１０４が固定部材１６９により前記陰極冷却部材１６４の上部に固定されている。陽極１４０の周りに付設されるマグネットコイル１６８は、プラズマを集束させてプラズマ引き出し口（図示はしていないが、図面上方向）へプラズマを導く誘導磁界を発生させる。また、側壁で反射するドロップレットの進行を抑制する邪魔板１７３、反応ガスの導入口１３４、及び覗き窓１６６が具備されている。
【００１１】
図８では、トリガー電極１０６と陰極１０４の表面が接触状態にあり、この接触状態から駆動機構によりトリガー電極１０６を陰極表面から引き離すと、トリガー電極１０６の先端部１０６ａと陰極表面が接触する位置に陰極点が形成され、この陰極点から陽極１４０の方向に向かってアークプラズマが形成される。また、前記駆動機構はコントローラ１６７によって制御されている。前記トリガー電極１０６の加熱による劣化及び前記プラズマへのコンタミネーションの混入を防止し、並びに前記プラズマの進行を阻害しないように、前記トリガー電極１０６はプラズマ衝突回避位置（破線で示したトリガー電極の位置）に格納される。しかし、図８における陰極１０４の表面には、プラズマの放出孔が形成されるから、図７と同様に前記トリガー制御装置や研磨装置を付設する必要性があり、真空チャンバーの洗浄を頻繁に行う必要があった。
【特許文献１】特開２００２−８８９３号公報
【特許文献２】特開２００１−１９２８１５号公報
【特許文献３】米国特許番号６３１９３６９号公報
【発明の開示】
【発明が解決しようとする課題】
【００１２】
半導体製造プロセス等において、連続して被処理物にプラズマ処理を施す場合、プラズマ生成装置を長期間断続的に稼働する必要があり、陰極１０４を形成する陰極材料が消耗する度に新たな陰極材料を補充し続けなければならない。しかし、真空チャンバーを開放して陰極材料を取り付ける場合、真空チャンバー内に不純物やコンタミネーションが混入する。従って、陰極材料の補充回数が増加すると、真空チャンバー内の汚染は避け難いものとなっていた。
【００１３】
また、トリガー電極１０６との接触回数の増加とともに、陰極面１０４ａには複数の放出孔１０４ｂが形成されるから、長期間断続的にプラズマ生成装置を稼働するためには、定期的に陰極面１０４ａを研磨することにより、平坦な陰極面を再び形成する必要性があった。従って、従来のプラズマ発生部には陰極面の研磨装置が付設され、陰極面１０４ａの研磨処理において、プラズマの発生を一時中断しなければならなかった。即ち、前記研磨処理は、プラズマ生成装置を用いた表面処理加工の処理効率を著しく低下させていた。
【００１４】
従って、本発明の目的とするところは、陰極アーク（真空アーク）プラズマの起動・維持・停止というシーケンス操作を繰り返す断続稼働を、長期間行うことができるプラズマ発生装置を実現することである。
【課題を解決するための手段】
【００１５】
本発明は上記課題を解決するために提案されたものであって、本発明の第１の形態は、真空雰囲気下に設定されたプラズマ発生部で真空アーク放電を行ってプラズマを発生させるプラズマ生成装置において、前記プラズマ発生部には陰極と真空アークの起動及び維持用のトリガー兼陽極が配置され、前記陰極の陰極面は平坦又は微細な凹凸形状を有し、前記陰極面と接触するトリガー兼陽極の陽極面は平坦表面を有し、プラズマ起動時に前記陽極面は少なくとも前記陰極面の全面に当接するように配置され、前記陰極面における微細な凸部先端と前記陽極面との接触点をプラズマ放出点とするプラズマ生成装置である。
【００１６】
本発明の第２の形態は、前記トリガー兼陽極には駆動機構が付設され、この駆動機構により前記トリガー兼陽極がアークプラズマ起動位置とプラズマ衝突回避位置の間を反復的に移動可能に構成されるプラズマ生成装置である。
【００１７】
本発明の第３の形態は、前記トリガー兼陽極の基端部に駆動機構が連結され、この駆動機構を支点として前記トリガー兼陽極がアークプラズマ起動位置とプラズマ衝突回避位置の間を反復的に揺動可能に構成されるプラズマ生成装置である。
【００１８】
本発明の第４の形態は、前記トリガー兼陽極は幅狭の陽極基端部と幅広の陽極先端部を有するハンマー形状に構成され、この陽極先端部の先端面が前記陽極面となるプラズマ生成装置である。
【００１９】
本発明の第５の形態は、前記トリガー兼陽極に永久磁石又は電磁石が配設されるプラズマ生成装置である。
【００２０】
本発明の第６の形態は、前記トリガー兼陽極の先端部がプラズマ生成物質から構成されるプラズマ生成装置である。
【００２１】
本発明の第７の形態は、前記陰極を形成する陰極材料をプラズマ発生部に順次供給する陰極材料装填装置が設置され、直列配置された複数本の陰極材料の内、最先端にある陰極材料が前記陰極となり、陰極が消耗すると後続する陰極材料を前進させて新たな陰極とするプラズマ生成装置である。
【００２２】
本発明の第８の形態は、陰極材料を収容した格納室を設け、前記陰極材料装填装置に陰極材料を補給するプラズマ生成装置である。
【発明の効果】
【００２３】
本発明の第１の形態によれば、平坦若しくは微細な凹凸形状を有する陰極面の凸部先端と、平坦な表面を有する陽極面を接触させ、この接触点に電流を流してアークプラズマの発生を誘起することができる。アークプラズマの放出により前記凸部先端が蒸発した場合、次回のプラズマ起動時には、前記陽極面と接触可能な他の凸部先端が新たなプラズマ放出点となり、次々と継続してプラズマを生成することができる。従来のトリガー兼陽極の先端は棒状に形成され、前記陰極面にトリガー兼陽極を接触させてプラズマを発生させた場合、前記陰極面には、トリガー兼陽極の先端直径程度の大きさを有する放出孔が形成される。即ち、真空アーク放電において、放出孔内を充填していた陰極材料がプラズマ又はドロップレットとして放出される。また、陰極点は一定箇所に留まらず移動するという性質を持つため、数秒程度の短期間の放電であっても、回数が重なれば徐々に陰極表面を荒らす。一般に、トリガー電極が接触する場所の周囲が侵食される。従って、起動・維持・停止という断続的繰り返しを長時間に亘り連続して行うプラズマ生成装置には、陰極面を研磨する研磨部材が付設され、定期的に陰極面を研磨する必要性があった。しかし、研磨工程では多量の粉塵が発生し、真空チャンバー内の汚染を招いていた。また、プラズマ生成装置の稼働率低下の一因になっていた。
本発明に係るプラズマ生成装置では、陰極面上に形成された凸部先端と陽極面が接触するプラズマ放出点からプラズマが発生し、この凸部先端が蒸発した場合、次のプラズマ起動時には、前記陽極面と接触可能な他の凸部先端が新たなプラズマ放出点となる。幾つかの凸部先端が順次蒸発しても、凸部先端が次々と形成されるから、陰極面の微小な凹凸形状は保持され、前記陰極面から継続してプラズマを発生させることができ、真空チャンバーを開放することなく、安定且つ断続的にプラズマを生成することができる。しかも、長時間で見れば陰極面が平均的に消費されるため、陰極面は次第に後退してゆき、陰極物質が消失するまで真空アーク放電が継続し、陰極の完全消失までプラズマの連続生成が可能になる。
【００２４】
本発明の第２の形態によれば、前記トリガー兼陽極には駆動機構が付設され、この駆動機構により前記トリガー兼陽極は、プラズマ起動位置とプラズマ衝突回避位置の間を反復的に移動することができる。前記トリガー兼陽極を陰極面から引き離すと、陰極表面に陰極点が形成され、その陰極点から電界が生じているトリガー兼陽極方向に向かって拡散状に真空アークプラズマが形成される。更に、プラズマ衝突回避位置までトリガー兼陽極を移動させることにより、拡散状に発生した真空アークプラズマの大部分を引き出し側に送ることができる。更に、プラズマ構成粒子の一部はトリガー兼陽極に到達するから、放電を維持することができる。
【００２５】
本発明の第３の形態によれば、前記トリガー兼陽極の基端部に駆動機構が連結され、この駆動機構を支点としてトリガー兼陽極がプラズマ起動位置とプラズマ衝突回避位置の間を反復的に揺動するから、トリガー兼陽極の安定な揺動運動を実現することができる。前記駆動機構を支点としたトリガー兼陽極の揺動は、円弧状の軌道を描き、陰極とトリガー兼陽極の間に誘起される電圧によりプラズマを掃引しながら、プラズマ起動位置からプラズマ衝突回避位置まで円滑に移動することができる。
【００２６】
本発明の第４の形態によれば、前記トリガー兼陽極が幅狭の陽極基端部と幅広の陽極先端部を有したハンマー形状に構成されるから、プラズマ起動時に前記陰極面は陽極面の全面に完全に当接することができ、前記陽極面と凸部先端の良好な接触状態を確実にすることができる。また、トリガー兼陽極の重心位置は陽極先端部側に位置し、このトリガー兼陽極の揺動運動を単振り子様の安定した反復運動から構成することができる。
【００２７】
本発明の第５の形態によれば、前記トリガー兼陽極の先端部に永久磁石又は電磁石を配設することにより、トリガー兼陽極の中央部分にアーク放電を維持するためのプラズマ流を集中させることができ、トリガー兼陽極の周囲へ膜が付着するのを防ぐことができる。陽極周囲の絶縁体に導電性膜が付着すると、その部分も陽極として働いてしまい、その結果、陰極点から発生した蒸発物質がその部分に向かって輸送されるために、蒸発物質の利用効率が減少することになる。また、トリガー兼陽極は活性陽極として用いることができる。即ち、前記トリガー兼陽極の先端部に永久磁石又は電磁石を配設し、このトリガー兼陽極の中央部分にアーク電流を集中させることにより、前記トリガー兼陽極の陽極面前面に拡がるプラズマを収束することにより活性化及び高電離化することができる。磁石はトリガー兼陽極の内部又は外部に配置でき、特に陽極内部に磁石を埋設すると、磁石面が陰極と接触しないため、磁石の有効性を増大できる。前記永久磁石又は電磁石から生じる磁界と、プラズマの電磁相互作用（ローレンツ力）により陽極面近傍にプラズマを集中させ、プラズマ高密度領域（プラズマプルーム）を形成することができる。陰極から放出される中性原子が前記プラズマプルームに入射する場合、この中性原子はイオン化してプラズマ成分を形成するから、前記トリガー兼陽極が活性陽極を構成することにより高効率にプラズマを生成することができる。即ち、トリガー兼陽極を活性化させることにより、陰極から発生する中性粒子の一部をイオン化することができる。換言すれば、成膜に寄与しない中性粒子の一部を利用できるようになるから、成膜速度を増加させることができる。
【００２８】
本発明の第６の形態によれば、前記トリガー兼陽極の先端部がプラズマ生成物質から構成されるから、陰極とは異なる物質から構成されるプラズマを生成することができる。例えば、Ａｌを混合したＺｎＯ膜を被処理物表面上に形成する場合には、ＡｌとＺｎとを混合した合金で陰極を構成する必要があった。即ち、生成膜の組成比は合金の組成比に依存するため、生成膜の組成比を任意に制御することは困難であった。本発明に係るトリガー兼陽極をプラズマ生成物質から形成し、このトリガー兼陽極を活性陽極（活性陽極は、電流をより集中させることで、陽極表面から陽極物質を微量蒸発させることができる）とすることにより、陰極材料と異なる物質を含んだプラズマを生成することができる。従って、表面処理加工において、利用目的に応じたより多様なプラズマ処理を施すことができる。また、プラズマ生成物質を陽極面に埋設して、活性陽極を形成することもできる。更に陽極先端に永久磁石又は電磁石を配設することによって、プラズマが陽極面近傍に集中する結果、陽極面自身、又はプラズマ生成物質表面がプラズマの熱及びイオン・電子衝撃により加熱され、陰極面からのプラズマの発生効率を一層向上させることができる。
【００２９】
本発明の第７の形態によれば、プラズマ発生部に陰極材料を順次供給する陰極材料装填装置が設置され、陰極が消耗すると後続する陰極材料を瞬時に補充して、新たな陰極とすることができる。真空アーク加工法において、外部からの不純物及びコンタミネーションの混入を防ぐため、真空チャンバーは可能な限り開放されないことが望ましい。本発明に係る陰極材料装填装置を付設することにより、真空チャンバーを開閉することなく、陰極材料を補充することができ、長時間連続的に高密度のプラズマを発生させることができる。
【００３０】
本発明の第８の形態によれば、陰極材料を収容した格納室を設け、前記陰極材料装填装置に陰極材料を補給することができ、長時間連続的にプラズマを生成することができる。加工部に複数の被処理物を設定し、加工工程を中断することなく、プラズマ処理を実行することができる。更に、前記陰極材料を補給する場合、真空チャンバーを開放することなく、陰極材料を順次供給していくことができ、不純物やコンタミネーションの混入を抑制することができる。
【発明を実施するための最良の形態】
【００３１】
以下、本発明に係るプラズマ生成装置の実施形態を、添付する図面に基づいて詳細に説明する。本発明において、被処理物を加工するプラズマ加工部を付設した装置又はプラズマ加工部を付設しない装置の両方がプラズマ生成装置として包含される。プラズマ加工部を有するプラズマ生成装置は、プラズマ加工装置と称されてもよい。あるいは、真空アーク蒸着装置、真空アークプラズマ蒸着装置、陰極アーク蒸着装置、アークイオンプレーティング装置、と称しても良く、蒸着装置は、成膜装置、着膜装置、コーティング装置でと称しても良い。また、イオン注入に利用することもできる。図１は本発明に係るプラズマ生成装置の断面構成図である。本装置にプラズマ加工部を付設することにより、プラズマ加工装置となる。
【００３２】
図１のプラズマ生成装置は、基本的に、真空チャンバー１内に形成されるプラズマ発生部２、ドロプレット捕集部１６、第１プラズマガイド部９、第２プラズマガイド部１０、及びプラズマ加工部１２から構成される。前記プラズマ発生部２において、陰極４及びトリガー兼陽極６が絶縁導入端子２６を介して外部のアーク電源２２と接続されている。このアーク電源２２には、汎用の直流電源、パルス電源、直流重畳パルス電源、交流重畳直流電源など、真空アーク放電を発生することが可能な電源を使用することができる。尚、トリガー兼陽極６とアーク電源２２との間には、トリガー兼陽極２２に流れる電流を制限（調整）するための制限用抵抗（０．１〜１０Ω）２４を挿入してもよい。但し、この場合のより好ましい形態は他の補助的陽極が付設される。図１では、プラズマ輸送ダクト５に電源が接続され、プラズマ輸送ダクト５自体が補助的陽極の役目も果たしている。勿論、プラズマ輸送ダクト５を絶縁して電気的に浮遊させた状態で、図示していないがダクト内に別途補助的陽極を敷設することもできる。更に、この補助陽極を活性陽極として利用することもできる。
【００３３】
前記プラズマ発生部２において、陰極４からプラズマ８及びドロップレット１８が混合状態で生成される。陰極４から発生するドロップレット１８は、電気的に中性であり、磁界の影響を受けないため、直進移動するという特性を有する。図１に示すように、プラズマ輸送ダクト５内でドロップレット１８の進行方向とプラズマ８の進行方向は略Ｔ字形に分岐され、誘導磁界発生器３５によって第１プラズマガイド部９に形成される合成磁界により、前記プラズマ８は屈曲して第２プラズマガイド部へ導かれる。
【００３４】
前記ドロップレット１８はドロップレット捕集部１６へ進行し、プラズマ８は磁界により第２プラズマガイド部１０へ進行する。更に、第２プラズマガイド部１０を進行するプラズマ８により被処理物１４の表面処理加工を行うプラズマ加工部１２が付設されている。前記プラズマ加工法には必要に応じて反応性ガスを導入することもできる。尚、プラズマ加工部を含めたプラズマ加工装置も本発明ではプラズマ生成装置と称され、本発明の技術的範囲に包含される。
【００３５】
プラズマ８の構成粒子は、プラズマ発生部２の陰極４からの蒸発物質、又は前記蒸発物質と導入ガスを起源（ソース）とするプラズマ化した荷電粒子（イオン、電子）ばかりでなく、プラズマ前駆状態の分子、原子等の中性粒子をも含む。プラズマ加工法（真空アーク蒸着法）における蒸着条件は、電流：１〜６００Ａ（望ましくは５〜５００Ａ、さらに望ましくは１０〜１５０Ａ）である。更に、電圧は、５〜１００Ｖ（望ましくは１０〜８０Ｖ、更に望ましくは１０〜５０Ｖ）、圧力は、１０−１０〜１０２Ｐａ（望ましくは１０−６〜１０２Ｐａ、更に望ましくは１０−５〜１０１Ｐａ）である。
【００３６】
プラズマ加工部（処理部）１２には、ガス導入を行わない場合もあるが、ガス導入システム３４ａ及びガス排出システム３４ｂを接続することができる。これらのシステムとしては汎用のものを使用できる。ガス導入流量が一定に制御され、且つ排気流量を制御することにより真空チャンバー１全体の真空度（圧力）が一定に制御される。
【００３７】
導入ガスは、プラズマ発生部２から導入してもよく、プラズマ加工部（処理部）１２とプラズマ発生部２の両方から導入してもよい。プラズマ加工部とプラズマ発生部の両方から導入する場合、ガスの種類が異なってもよい。そして、導入ガスとしては、反応性ガスを使用しない場合に、圧力を一定に保持するための希ガス（通常、Ａｒ、Ｈｅ）のほかに、反応性ガスを適宜使用する。
【００３８】
この反応性ガスが、陰極材料等をソースとする蒸発粒子（プラズマ粒子）と反応して、複化合物膜を容易に形成できる。反応性ガスとしては、窒素（Ｎ２）、酸素（Ｏ２）、水素（Ｈ２）、炭化水素ガス（Ｃ２Ｈ２、Ｃ２Ｈ４、ＣＨ４、Ｃ２Ｈ６等）、酸化炭素ガス（ＣＯ、ＣＯ２）の群から１種又は複数種を適宜に選択して使用できる。ここで、反応性を制御するために前記希ガスを混合して反応性ガスの濃度を調整してもよい。又、アルコールの蒸気、有機金属ガス、又は有機金属液体の蒸気等を反応性ガスとして用いることができる。
【００３９】
図２は、プラズマ発生部の拡大図である。プラズマ発生部２は、陰極４、トリガー兼陽極６、アーク安定化磁界発生器（電磁コイル又は磁石）３０ａ及び３０ｂを具備している。前記陰極４は、プラズマの主構成物質を供給するソースであり、その形成材料は、導電性を有する固体なら特に限定されない。金属単体、合金、無機単体、無機化合物（金属酸化物・窒化物）等など単独又は２種以上混合して使用することができる。
【００４０】
金属単体としては、Ａｌ、Ｔｉ、Ｚｎ、Ｃｒ、Ｓｂ、Ａｇ、Ａｕ、Ｚｒ、Ｃｕ、Ｆｅ、Ｍｏ、Ｗ、Ｎｂ、Ｎｉ、Ｍｇ、Ｃｄ、Ｓｎ、Ｖ、Ｃｏ、Ｙ、Ｈｆ、Ｐｄ、Ｒｈ、Ｐｔ、Ｔａ、Ｈｇ、Ｎｄ、Ｐｂ等がある。また、合金（金属化合物）としては、ＴｉＡｌ、ＡｌＳｉ、ＮｄＦｅ等がある。また、無機単体としては、Ｃ、Ｓｉ等がある。また、無機化合物（セラミックス）としては、ＴｉＯ２、ＺｎＯ、ＳｎＯ２、ＩＴＯ（Indium-Tin-0xide ：スズ混入酸化インジウム）、Ｉｎ２Ｏ３、Ｃｄ２ＳｎＯ４、ＣｕＯ等の酸化物がある。更に、ＴｉＮ、ＴｉＡｌＣ、ＴｉＣ、ＣｒＮ、ＴｉＣＮ等の炭化物・窒化物等も、それぞれ挙げることができる。
【００４１】
トリガー兼陽極６の先端部６ａを形成する材料は、通常（トリガー兼陽極物質を蒸発させたくない場合、つまり、陰極蒸発物質のみのプラズマを発生させたい場合）、プラズマ温度でも蒸発せず、非磁性の材料で導電性を有する固体なら特に限定されない。金属単体、合金、無機単体、無機化合物（金属酸化物・窒化物）等、特に問わず、それらは単独又は２種以上混合して使用することができる。前述の陰極４に使用した材料を適宜選択して使用することができる。このトリガー兼陽極６はステンレス鋼、銅又は炭素材（黒鉛：グラファイト）等から形成されることが望ましい。
【００４２】
トリガー兼陽極６を一時的に陰極４の表面に接触させ、その後引き離すことで、陰極４とトリガー兼陽極６との間に、電気スパークを発生させる。この電気スパークが発生すると、陰極４とトリガー兼陽極６との間の電気抵抗が減少し、陰極−トリガー兼陽極間に真空アークが発生する。トリガー兼陽極の基端部６ｂの形成材料は、ステンレス鋼又は銅等から形成されることが望ましい。より好しくは、トリガー兼陽極６における基端部６ｂの外壁をセラミックスなどで絶縁して、陽極としての機能をトリガー兼陽極先端６ａにのみ付与することができる。トリガー兼陽極６ａの形成材料は、高融点金属である汎用のＭｏ（融点：２６１０℃）やＷ（融点：３３８７℃）、炭素材、好ましくは、黒鉛（グラファイト）等が用いられる。
【００４３】
アーク安定化磁界発生器３０ａ及び３０ｂは、プラズマ発生部２における真空チャンバー１の外周に配置され、真空アークの陰極点、及び、アーク放電により発生したプラズマ８を安定化させる。プラズマに対する印加磁界が互いに逆方向（カスプ形）となるようにアーク安定化磁界発生器３０ａ及び３０ｂが配置された場合、プラズマ８はより安定する。プラズマ８の引き出し効率を優先する場合、又はトリガー兼陽極６が陰極面４ａに対向しプラズマ８の進行を妨げない位置に配置されている場合、印加磁界が互いに同方向（ミラー形）となるように配置することもできる。又、ここではアーク安定化磁界発生器３０ａは真空チャンバー１の外周に配置してあるが、真空チャンバー１の端における陰極４の絶縁導入端子２６ａ近傍に配置することもできる。
【００４４】
図３は、陰極面４ａにおける凸部先端４ｂ或いは４ｆと陽極面６ｃの接触状態の構成図である。（３Ａ）は、凸部先端４ｂと陽極面６ｃの接触状態の構成図である。凸部先端４ｂと陽極面６ｃが接触点において接している。この接触点に電流を流し、トリガー兼陽極６を陰極面４ａから引き離すと電気スパークが引起され、この電気スパークによりプラズマ８の発生が誘起される。この後、プラズマ８又はドロップレット１８として放出されることにより、凸部４ｄは消失する。
【００４５】
（３Ｂ）は、凸部先端４ｆと陽極面６ｃの接触状態の構成図である。（３Ｂ）では、（３Ａ）における凸部４ｄが消失し、凸部先端４ｆが陽極面６ｃと接触して陰極点となる。更に、真空アーク放電により凸部４ｅが消失すると、最も陽極面６ｃに近接する他の凸部が陰極点となる。前述のようなプラズマ放出機構において、１つの凸部が放電して凹部に変化し、その結果新たな凸部が形成され、陰極面は常に凹凸面を有しながら、陰極４は次第に消耗して後退していく。つまり、陰極面は常に凹凸形状を保持し、この陰極面の凸部は良好な陰極点を形成する。
【００４６】
図４は、活性陽極型トリガー兼陽極の説明図である。活性陽極型のトリガー兼陽極６内には、磁石６ｄ（電磁石又は永久磁石）が配設されている。実際には、磁石６ｄはトリガー兼陽極６内に埋設されているから、永久磁石の方が扱い易い。磁石６ｄによって生じる磁界４４により、陽極面の表面近傍において磁力線の密度が増加する。従って、陽極面に近傍において、陰極面４ａから放出される電子４０はラーマー運動により磁力線に巻きつき、その結果、前記陽極面近傍の電子密度が増加し、これらの電子に引き寄せられたイオンと共にプラズマ高密度領域４３を形成する。
【００４７】
ここで、陰極から放出される電子軌道４８ａ、イオン放出方向４６ｃ、中性原子放出方向４６ａ、及びプラズマ高密度領域４３（プラズマプルーム）は、模式的に示すものであって、実際に各々の粒子が辿る軌道を記述するものではない。前記活性型トリガー兼陽極６の先端部６a若しくは陽極面６ｃはプラズマ生成物質から形成することもできる。この場合、陰極４と異なる物質からトリガー兼陽極６の先端部６a若しくは陽極面６ｃを形成することにより、２種類の元素から構成されるプラズマを生成することができる。
【００４８】
更に、前記陰極４から中性原子放出方向４６ａに放出される中性原子４２はプラズマ高密度領域４３に入射し、この中性原子４２がイオン化してプラズマ成分を形成（以下、「再活性化」と称する）する。従って、前記トリガー兼陽極６が活性陽極を形成することにより高効率にプラズマを生成することができる。
【００４９】
図５は、活性陽極型トリガー兼陽極の構成図である。前記トリガー兼陽極先端の一部に、プラズマ生成物質を配設することにより、活性陽極とすることもできる。（５Ａ）は磁石６ｄ及プラズマ生成物質６ｆが配設されたトリガー兼陽極６の構成図である。トリガー兼陽極６の先端部６ａには、磁石６ｄが配設されている。前述のように先端部に磁石６ｄを配設することにより、陽極面近傍にプラズマの高密度領域が形成される。高密度領域を構成するプラズマは、前記陽極面を熱及びイオン・電子衝撃によって加熱或いはスパッタし、この陽極面に埋設されているプラズマ生成物質の蒸発を誘起する。
【００５０】
（５Ｂ）はプラズマ生成物質６ｆが配設されたトリガー兼陽極の構成図である。このトリガー兼陽極は磁石が配設されていない。この場合においても陽極面からプラズマ放出することができ、陰極材料とは異なる物質を含有するプラズマを形成することができる。
【００５１】
図６は、陰極材料装填装置３が付設されたプラズマ発生部２の構成図の一例である。前記陰極材料装填装置３の基本構造は、陰極予備材料４ｃ及び装填部６０から構成される。稼動中の陰極４の減少に伴い、陰極予備材料４ｃを装填部６０により押し出していく。従って、前記陰極４が無くなった場合においても、プラズマの発生を中断することなく、陰極材料を補充して連続的にプラズマ生成を行うことができる。前記装填部６０は陰極材料を前進させる装填部材５２、この装填部材５２を真空中で押し出すための真空ベローズ５４、装填部材５２の押し出し機構５８、及び前記装填部材５２を円滑に挿入するための支持部材５６から構成される。図示しないが、格納室５０から陰極予備材料４ｃを補充するために、陰極予備材料４ｃの長さを越えて装填部材５２が前進した場合に、この装填部材５２を後方に戻すための駆動装置を付設してもよい。また、真空ベローズを用いずに押し出し機構全体を真空糟に入れてしまっても良い。
【００５２】
更に、前記陰極材料装填装置３に格納室５０を付設することにより、長時間の連続稼働が可能になる。前記格納室５０には、陰極予備材料４ｃが格納されており、陰極４が消耗し、後続する陰極予備材料４ｃをプラズマ発生部２に移動させた後、順次格納室５０に格納された陰極予備材料４ｃが陰極４の後続として補充されていく。この格納室５０は連続運転時間に応じて、自在に拡張することができる。
【００５３】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００５４】
本発明に係るプラズマ生成装置は、平坦若しくは微細な凹凸形状を有する陰極面と平坦な表面を有する陽極面が設けられ、プラズマ起動時に前記陽極面は少なくとも前記陰極面の全面に当接するように配置される。前記陽極面と接触する前記陰極面の凸部先端をプラズマ放出点とし、１つの凸部先端が消耗すると、次回のプラズマ起動時には前記陽極と接触可能な他の凸部先端が新たなプラズマ放出点となり、断続的にプラズマを生成することができる。従って、本発明に係るプラズマ生成装置を用いることにより、半導体製造プロセス等において、イオン注入、エッチングなどの繰り返し断続的表面改質処理を長時間連続的に行うことができる。更に、陰極材料装填装置が付設されたプラズマ生成装置を用いることにより、真空チェンバーを開放することなく、陰極材料を補充して表面処理加工を行うことができるから、被処理物表面への不純物やコンタミネーションの混入を防止することができる。即ち、本発明係るプラズマ生成装置を用いることにより、高品質又は高純度を保持した状態で被処理物にプラズマ処理を安定して長時間連続的に行うことができる。
【図面の簡単な説明】
【００５５】
【図１】本発明に係るプラズマ生成装置の断面構成図である。
【図２】図１におけるプラズマ発生部の拡大図である。
【図３】本発明に係る陰極面の凸部先端と陽極面の接触状態の構成図である。
【図４】本発明に係る活性陽極型トリガー兼陽極の説明図である。
【図５】本発明に係る活性陽極型トリガー兼陽極の構成図である。
【図６】本発明に係る陰極材料装填装置が付設されたプラズマ発生部の構成図である。
【図７】従来のプラズマ生成装置におけるプラズマ発生部の構成図である。
【図８】従来のプラズマ生成装置におけるプラズマ発生部の構成図である。
【符号の説明】
【００５６】
１          真空チャンバー
２          プラズマ発生部
３          陰極材料装填装置
４          陰極
４ａ        陰極面
４ｂ、４ｆ  凸部先端
４ｃ        陰極予備材料
４ｄ、４ｅ  凸部
５          プラズマ輸送ダクト
６          トリガー兼陽極
６ａ        先端部
６ｂ        基端部
６ｃ        陽極面
６ｄ        磁石
６ｅ        プラズマ衝突回避位置
６ｆ        プラズマ生成物質
８          プラズマ
９          第１プラズマガイド部
１０        第２プラズマガイド部
１２        プラズマ加工部
１４        被処理物
１６        ドロップレット捕集部
１８        ドロップレット
２０        ドロプレット放出方向
２２        アーク電源
２４        制限用抵抗
２６        絶縁導入端子
２６ａ      絶縁導入端子
２８        駆動機構
３０ａ      アーク安定化磁界発生器
３０ｂ      アーク安定化磁界発生器
３２        接続端子
３４ａ      ガス導入システム
３４ｂ      ガス排出システム
３５        誘導磁界発生器
３６        誘導磁界発生器
３８ａ      陰極材料イオン
３８ｂ      陰極材料イオン
４０        電子
４２        中性原子又は分子
４３        プラズマ高密度領域（プラズマプルーム）
４４        磁界
４６ａ      中性原子放出方向
４６ｂ      陰極材料イオン放出方向
４６ｃ      陰極材料イオン放出方向
４８        電子軌道
４８ａ      電子軌道
５０        格納室
５２        装填部材
５４        真空ベローズ
５６        支持部材
５８        押し出し機構
６０        装填部
１０２      プラズマ発生部
１０４      陰極
１０４ａ    陰極面
１０４ｂ    放出孔
１０６      トリガー電極
１０８      プラズマ
１１８      ドロップレット
１２０      ドロップレット放出方向
１２２      アーク電源
１２４      制限用抵抗
１２６      絶縁導入端子
１３０ａ    アーク安定化磁界発生器
１３０ｂ    アーク安定化磁界発生器
１３４      導入口
１４０      陽極
１６１      流入口
１６２      排出口
１６４      陰極冷却部材
１６５      フランジ
１６６      覗き窓
１６７      コントローラ
１６８      フランジ
１６９      固定部材
１７３      邪魔板
【図１】
2005267909.tif 000003
【図２】
2005267909.tif 000004
【図３】
2005267909.tif 000005
【図４】
2005267909.tif 000006
【図５】
2005267909.tif 000007
【図６】
2005267909.tif 000008
【図７】
2005267909.tif 000009
【図８】
2005267909.tif 000010